(57)【要約】【課題】鍵挿入時にキャップを外す必要がなく、ロータ等に水が浸入しにくい電気機器収納箱の扉の鎖錠装置に使用するシリンダ錠の防水構造を提供する。【解決手段】シリンダ錠６の前面周縁に張設した円形鍔部６２の周縁に係合させて該シリンダ錠６の前面を覆うキャップ部材９にシリンダ錠６の鍵穴６３に対応させた鍵挿通孔９ａを形成して、鍵操作時にシリンダ錠６と共にキャップ部材９が回動する構造を備えるものとする。【選択図】図４
2008291434.tif 000002
【特許請求の範囲】
【請求項１】
シリンダ錠の前面周縁に張設した鍔部の周縁に係合させて該シリンダ錠の前面を覆うキャップ部材にシリンダ錠の鍵穴に対応させた鍵挿通孔を形成して、鍵操作時にシリンダ錠と共にキャップ部材が回動する構造を備えたシリンダ錠の防水構造。
【請求項２】
シリンダ錠の前面が臨むキャップ部材の内面に鎖錠時又は開錠時に下方へ水を誘導する誘導部を設けた請求項１に記載のシリンダ錠の防水構造。
【請求項３】
前面をキャップ部材により覆ったシリンダ錠を嵌合する貫通孔を有する取付カバーの前記貫通孔の前方を拡大孔部に形成してシリンダ錠の前方のキャップ部材により覆った覆辺部を保持した請求項１又は２に記載のシリンダ錠の防水構造。
【発明の詳細な説明】
【技術分野】
【０００１】
本発明は、電気機器収納箱の扉の鎖錠装置に使用するシリンダ錠の防水構造に関するものである。
【背景技術】
【０００２】
電気機器収納箱の扉の鎖錠装置にはシリンダ錠が使用されいるが、電気機器収納箱を屋外に設置した場合にはシリンダ錠の前面全体が露出しているため、雨風がシリンダ錠の前面全体に当たり前面に付着した水滴がロータの周面から滲み込み、ロータやタンブラが錆びて動かなくなる虞がある。
【０００３】
そこで、これを解決するものとして特開２００５−２８２００９公報（特許文献１）のように、シリンダ錠の鍵穴に差し込むキー形状の差込バーにより取付て蓋部でシリンダ錠の前面を覆うキャップにより雨風が当たるのを防止するが知れている。しかしながら、これは、開錠時に鍵を挿入する際に外し、鎖錠後に嵌めなければならず嵌め忘れることがある。また、嵌め方が不完全で蓋部とシリンダ錠の前面との間に隙間を残した場合には、この隙間に入り込んだ雨水が差込バーを伝ってロータ内に浸入するという問題もある。
【０００４】
【特許文献１】特開２００５−２８２００９公報（図１、図２及び段落００１１参照）
【発明の開示】
【発明が解決しようとする課題】
【０００５】
本発明は前記のような問題点を解決して、鍵挿入時にキャップを外す必要がなく、ロータ等に水が浸入しにくい電気機器収納箱の扉の鎖錠装置に使用するシリンダ錠の防水構造を提供することを目的として完成されたものである。
【課題を解決するための手段】
【０００６】
本発明のシリンダ錠の防水構造は、シリンダ錠の前面周縁に張設した鍔部の周縁に係合させて該シリンダ錠の前面を覆うキャップ部材にシリンダ錠の鍵穴に対応させた鍵挿通孔を形成して、鍵操作時にシリンダ錠と共にキャップ部材が回動する構造を備えたものも基本の発明とする。
【０００７】
そして、この発明において、シリンダ錠の前面が臨むキャップ部材の内面に鎖錠時又は開錠時に下方へ水を誘導する誘導部を設けることが好ましい。これらの発明において、さらに、前面をキャップ部材により覆ったシリンダ錠を嵌合する貫通孔を有する取付カバーの前記貫通孔の前方を拡大孔部に形成してシリンダ錠の前方のキャップ部材により覆った覆辺部を保持したものとしてもよい。
【発明の効果】
【０００８】
前記のような本発明は、キャップ部材がシリンダ錠の前面周縁に張設した鍔部の周縁に係合させて該シリンダ錠の前面を覆っているので、雨風がシリンダ錠の前面全体に当たり前面に付着した水滴がロータの周面から滲み込むことがないので、ロータやタンブラが錆びて動かなくなることがないものである。また、キャップ部材にシリンダ錠の鍵穴に対応させた鍵挿通孔を形成して、鍵操作時にシリンダ錠と共にキャップ部材が回動する構造を備えたものであるので、鍵挿入時にキャップを外す必要がないものである。
【０００９】
また、シリンダ錠の前面が臨むキャップ部材の内面に鎖錠時又は開錠時に下方へ水を誘導する誘導部を設けたものおいては、鍵挿通孔から浸入した雨水は誘導部により下方に誘導されて外部に排水することができる。
【００１０】
さらに、前面をキャップ部材により覆ったシリンダ錠を嵌合する貫通孔を有する取付カバーの前記貫通孔の前方を拡大孔部に形成してシリンダ錠の前方のキャップ部材により覆った覆辺部を保持したものにあっては、キャップ部材の外周面と拡大孔部の内周面から浸入する雨水があっても、拡大孔部の基端の段部壁によりそれより奥への浸入が防止されて、シリンダ筒部のタンブラに到達することがないものである。
【発明を実施するための最良の形態】
【００１１】
次に、本発明の好ましい実施の形態を図を参照して説明する。
図１において、１はブレーカなどの電気機器を収納する電気機器収納箱の箱本体、２は該箱本体１の前面開口１ａの一側に蝶番３により枢着して開閉する扉である。そして、この扉２の蝶番３側と対向する他側付近には鎖錠装置４が取り付けられている。
【００１２】
前記鎖錠装置４は、図１、図３及び図４に示すものである。すなわち、扉２の他側付近に表面側から内側に向けて形成した有底円筒状の凹状ハウジング５の内部にシリンダ錠６の外筒を兼ねる取付けカバー７を嵌め込み、この取付けカバー７の筒内側面には係止凹部７３を設けて鍵を差し込まない場合に突出しているタンブラー６１が係止するようにしてシリンダ錠６の回転を規制している。
【００１３】
さらに、凹状ハウジング５の内部のシリンダー錠６よりも奥側には、シリンダー錠６と一体的に回転可能な取付け部材８が挿入されている。この取付け部材８は周縁部にＯリング８ａを嵌める溝部８１を形成するとともに、前方のソケット部８０の周縁部にストッパープレート８ｂを挿入する切込８２を設けており、ソケット部８０に嵌合したシリンダー錠６の基端に設けたスリット６４にストッパープレート８ｂを挿入して連結している。また、取付け部材８の後端部８３は凹状ハウジング５の貫通孔から僅かに箱本体１側に突出されている。そして、この取付け部材８の後端部８１には、ネジ８４によって鎖錠片８５が固定されている。このため、シリンダー錠６とともに取付け部材８が回転されたときには鎖錠片８５も回転し、箱本体１側に設けられた受金具８６と係合したり、あるいは離脱したりして鎖錠・開錠の操作を行うことができる。
【００１４】
前記凹状ハウジング５の内部に嵌め込んだシリンダ錠６の外筒を兼ねる取付けカバー７に埋設したシリンダ錠６は、鍵を差し込んだ場合にのみタンブラー６１が後退してロータ６０が回転できる周知の構造のものである。そして、このシリンダ錠６の前面は該シリンダ錠６の前面周縁に張設した円形鍔部６２の周縁に係合させたキャップ部材９により覆われている。また、このキャップ部材９はシリンダ錠６の鍵穴６３に対応させた鍵挿通孔９ａを形成して、鍵操作時にシリンダ錠６と共に回動する構造とされいる。なお、シリンダ錠６と共に回動するキャップ部材９に鎖錠片８５の位置を示す三角状の凹部９ｃを設けておくことが好ましい。
【００１５】
すなわち、前記キャップ部材９は、図５−図７に示すようにシリンダ錠６の前面周縁に張設した円形鍔部６２の介入できる間隔９１ａを下方に形成した枠部９１の内面にシリンダ錠６の前面周縁に係合する溝部９１ｂを設けるとともに、該枠部９１の間隔と対向側に円形鍔部６２に設けた突起６２ａを嵌合する切欠部９１ｃを形成したものである。そして、キャップ部材９を間隔９１ａ側からスライドさせてシリンダ錠６の前面周縁に装着すれば、前記のとおりシリンダ錠６の前面は該シリンダ錠６の前面周縁に張設した円形鍔部６２の周縁に係合させたキャップ部材９により覆われて覆辺部９１ｄを形成することとなる。
【００１６】
このように、キャップ部材９がシリンダ錠６の前面周縁に張設した鍔部の周縁に係合させて該シリンダ錠６の前面を覆っているので、雨風がシリンダ錠６の前面全体に亘って当って水滴が付着しにくくなるので、水滴が鍵穴６３やロータ６０の周面から滲み込むことがなく、ロータ６０やタンブラ６１が錆びて動かなくなることがないものである。また、キャップ部材９にシリンダ錠６の鍵穴６３に対応させた鍵挿通孔９３を形成して、鍵操作時にシリンダ錠６と共にキャップ部材９が回動する構造を備えたものであるので、鍵挿入時にキャップ９を外す必要がないものである。
【００１７】
また、シリンダ錠６の前面が臨むキャップ部材９の内面９２に鎖錠時又は開錠時に下方へ水を誘導する誘導部９３を設け、鍵挿通孔９ａから浸入した雨水は誘導部９３により下方に誘導されて外部に排水することができる。なお、誘導部９３は図７に示すものは下方広がりのテーパー状の浅凹部に形成したものであるが、溝状のものであってもよい。
【００１８】
さらに、前記した凹状ハウジング５の内部に嵌め込んだシリンダ錠６の外筒を兼ねる取付けカバー７を図８に示すように、前面をキャップ部材９により覆ったシリンダ錠６を嵌合する貫通孔７１を有するものとして、該貫通孔７１の前方を拡大孔部７１ａに形成してシリンダ錠６の前方のキャップ部材９により覆った部分を保持し、後方をロータ６０が挿入可能な小径孔部７１ｂと形成して、該小径孔部７１ｂの内周に鎖錠時にロータ６０から突出するタンブラ６１が係合してロータ６０の回動を阻止する係止凹部７３が十字方向に設けられている。
【００１９】
これにより、キャップ部材９の外周面と拡大孔部７１ａの内周面から浸入する雨水があっても、拡大孔部７１ａの基端と小径孔部７１ｂとの間に形成される段部壁７１ｃにより奥への浸入が防止されて、シリンダ筒部のタンブラ６１に到達することがないものである。
【図面の簡単な説明】
【００２０】
【図１】本発明の実施形態を示す従断面図である。
【図２】扉を閉じた状態の横断面図である。
【図３】要部の拡大断面図である。
【図４】要部の分解斜視図である。
【図５】キャップで覆ったシリンダ錠の斜視図である。
【図６】キャップを前面側から見た斜視図である。
【図７】キャップを後面側から見た斜視図である。
【図８】取付けカバーの斜視図である。
【符号の説明】
【００２１】
６  シリンダ錠
62  円形鍔部
63  鍵穴
９  キャップ部材
【図１】
2008291434.tif 000003
【図２】
2008291434.tif 000004
【図３】
2008291434.tif 000005
【図４】
2008291434.tif 000006
【図５】
2008291434.tif 000007
【図６】
2008291434.tif 000008
【図７】
2008291434.tif 000009
【図８】
2008291434.tif 000010